(57)【要約】  バイメタルスイッチの配置により大きな自由度を与えると共に、バイメタルスイッチのバイメタル素子の動作をより正確に制御できる保護デバイスを提供する。  保護デバイスは、  第１ＰＴＣ素子１４とバイメタル素子１６とが相互に電気的に並列に接続されたバイメタルスイッチ１２、および  第２ＰＴＣ素子１８を有し、バイメタル素子は、第２ＰＴＣ素子がトリップすることによって動作するように配置されている。
2012081659.tif 000002
【特許請求の範囲】
【請求項１】
第１ＰＴＣ素子とバイメタル素子とが相互に電気的に並列に接続されたバイメタルスイッチ、および
第２ＰＴＣ素子
を有して成り、
バイメタル素子は、第２ＰＴＣ素子がトリップすることによって動作するように配置されていることを特徴とする回路保護デバイス。
【請求項２】
バイメタルスイッチは、相互に並列に接続された第１ＰＴＣ素子とバイメタル素子に共通する端子を両端に第１端子および第２端子として有し、第２ＰＴＣ素子は、その両端に第３端子および第４端子を有し、バイメタルスイッチと第２ＰＴＣ素子とは電気的に独立していることを特徴とする請求項１に記載の回路保護デバイス。
【請求項３】
第１端子および第２端子は、所定の第１電気要素および所定の第２電気要素にバイメタルスイッチをそれぞれ電気的に直列に接続して主回路を構成し、第３端子および第４端子は、スイッチおよび起電力源にそれぞれ電気的に直列に接続して副回路を構成するようにこれらの端子を接続でき、そのように接続した回路は電気的に独立し、所定の第１電気要素および所定の第２電気要素の少なくとも一方は起電力源として作用することを特徴とする請求項２に記載の回路保護デバイス。
【請求項４】
第１端子および第２端子は、所定の第１電気要素および所定の第２電気要素にバイメタルスイッチをそれぞれ電気的に直列に接続して主回路を構成し、第３端子および第４端子は、スイッチおよび所定の第１電気要素にそれぞれ電気的に直列に接続して副回路を構成するようにこれらの端子に接続でき、所定の第１電気要素を起電力源として利用することを特徴とする請求項２に記載の回路保護デバイス。
【請求項５】
第２ＰＴＣ素子はバイメタルスイッチに対して電気的に直列に接続され、バイメタルスイッチは、相互に並列に接続された第１ＰＴＣ素子とバイメタル素子に共通する端子を両端に第１端子および第２端子として有し、また、第２ＰＴＣ素子の一方の電極は、これらの端子の一方に接続され、バイメタルスイッチの端子に接続されていない、第２ＰＴＣ素子の他方の電極は第３端子に接続されていることを特徴とする請求項１に記載の回路保護デバイス。
【請求項６】
第２ＰＴＣ素子のトリップ温度は、バイメタル素子の動作温度より少なくとも１０℃高いことを特徴とする請求項１または２に記載の回路保護デバイス。
【請求項７】
請求項１〜６のいずれかに記載の回路保護デバイスおよびそれによって保護すべき所定の電気要素を有して成る電気回路。
【請求項８】
請求項７に記載の電気回路を有する電気装置。
【発明の詳細な説明】
【技術分野】
【０００１】
本発明は、保護デバイス、詳しくは電気回路内に配置されて、その回路を含む電気装置を構成する要素が過熱されることを防止し、および／またはそのような回路に過電流が流れるのを防止する保護デバイス、より詳しくは回路保護デバイスに関する。
【背景技術】
【０００２】
電気回路内で閉じている接点間を開放する素子として、バイメタル素子とＰＴＣ素子とを近接させて一体に組み合わせたバイメタルスイッチが知られている。この素子では、バイメタル素子とＰＴＣ素子とが並列に接続されている。このようなバイメタルスイッチは、その周辺環境の温度が異常に高い場合、バイメタル素子が動作して接点を開くように構成され、それと同時に、バイメタル素子を経由して流れている電流はＰＴＣ素子を経由して流れるように転流される。【０００３】
例えば、回路を流れる電流が過剰となって回路を構成する要素が異常に高い温度になると、その高温によってバイメタルスイッチの周囲の温度が上昇してバイメタル素子が動作し接点が開く。そのように接点が開いても、転流によって、開放する接点間で大きな電位差が直ちに生じることがなくなり、接点間で溶着することが可及的に防止される。このようなバイメタルスイッチのバイメタル素子を動作させるのは、上述のようにバイメタルスイッチの周囲の高温である。
【先行技術文献】
【特許文献】
【０００４】
【特許文献１】国際公開第２００８／１１４６５０号公報
【発明の概要】
【発明が解決しようとする課題】
【０００５】
上述のようなバイメタルスイッチを用いる場合、その周囲、特にバイメタル素子の周囲が高温になる必要がある。換言すれば、バイメタルスイッチは、異常時に所定の温度を越える温度になるであろう箇所に配置する必要がある。そのような箇所以外の箇所にはバイメタルスイッチを配置することができない。【０００６】
例えば、電池パックのような２次電池に充電する過程において、過充電状態になった場合、バイメタル素子が電池パックの異常な高温に基づいて動作して過充電状態を解消するには、バイメタルスイッチは、電池パックの高温を検知できるほどに近接して配置する必要がある。【０００７】
また、バイメタルスイッチの周囲温度は他の原因によって影響を受けることがあり、その結果、所定の温度を越えてもバイメタル素子が動作しないことがある。例えば、保護すべき要素が過剰高温になった場合であっても、その熱が速やかに散逸する場合には、バイメタルスイッチの周囲の温度が高温にならず、そのため、バイメタル素子が動作しないことになる。【０００８】
更に、上述のようなバイメタルスイッチを用いる場合、所定の過剰電流値に起因する発熱によって生じる異常温度にバイメタル素子が達した場合に回路が開いて流れている電流を転流させることができるのみであって、そのような過剰電流値は使用するバイメタル素子に固有の値である。従って、そのような固有の値より小さい電流値では、バイメタルスイッチのバイメタル素子は動作しない。【０００９】
従って、本発明が解決しようとする課題は、上述のようなバイメタルスイッチの配置に、より大きな自由度を与えると共に、バイメタルスイッチのバイメタル素子の動作をより正確に制御できる保護デバイスを提供することに存する。
【課題を解決するための手段】
【００１０】
上述の課題は、上述のバイメタルスイッチを用いて、即ち、ＰＴＣ素子とバイメタル素子とが電気的に並列に接続されたバイメタルスイッチを用いて、別のＰＴＣ素子によってバイメタル素子を動作させる構成を採用することによって解決されることが見出された。【００１１】
即ち、第１の要旨において、本発明は、
第１ＰＴＣ素子とバイメタル素子とが相互に電気的に並列に接続されたバイメタルスイッチ、および
第２ＰＴＣ素子
を有して成り、
バイメタル素子は、第２ＰＴＣ素子がトリップすることによって動作するように配置されていることを特徴とする保護デバイス、より詳しくは回路保護デバイスを提供する。【００１２】
尚、「回路保護デバイス」なる用語は、それを組み込む回路自体および／または回路に組み込まれた電気要素（例えば電池パックのような２次電池）を保護するために用いることができることを意図して本明細書では用いる。【００１３】
本発明の回路保護デバイスが有するＰＴＣ素子は、いずれも、公知のＰＴＣ素子、好ましくはポリマーＰＴＣ素子である。そのようなポリマーＰＴＣ素子は、導電性フィラーが分散しているポリマーにより構成された導電性ポリマー組成物の層状のＰＴＣ要素およびその両側に配置された金属電極、好ましくは金属箔電極を有して成る。この金属電極には導電性リードが接続（例えばハンダ接続）されていてもよい。【００１４】
また、本発明の回路保護デバイスが有するバイメタル素子は、所定の温度に達するとその形状が別の形状になるように構成され、それによって閉じている回路が開く、あるいは開いている回路が閉じるように構成された周知の素子であり、従って、本発明の回路保護デバイスの１つの好ましい態様では、バイメタルスイッチは、上述の公知のバイメタルスイッチであってよい。この場合、バイメタル素子および第１ＰＴＣ素子は通常相互に近接して一体である。尚、本明細書において、バイメタル素子が回路を開いてバイメタル素子を経由して電流が流れないようにする、バイメタル素子の動きを「動作」と呼ぶ。【００１５】
本発明の回路保護デバイスでは、バイメタル素子は、第２ＰＴＣ素子がトリップすることによって動作するように配置されている。これは、トリップした第２ＰＴＣ素子が発する熱によってバイメタル素子が加熱され、その熱がバイメタル素子に伝わる結果、バイメタル素子がその動作する温度、即ち、動作温度より高い温度になり、それによってバイメタル素子が動作するように配置されていることを意味する。トリップした第２ＰＴＣ素子からバイメタル素子に熱が伝わって動作するには、第２ＰＴＣ素子のトリップ温度はバイメタル素子の動作温度と同じであるか、それより高いことを必要とする。第２ＰＴＣ素子のトリップ温度はバイメタル素子の動作温度より、少なくとも１０℃、好ましくは少なくとも２０℃、より好ましくは少なくとも３０℃高い。特に少なくとも４０℃高く、例えば６０℃高い。尚、本明細書では、トリップ温度とは、ＰＴＣ素子が電流を遮断し始めてその抵抗値が増加した後に実質的に電流を遮断した時に達するＰＴＣ素子の温度を意味する。【００１６】
第１の好ましい態様において、本発明の回路保護デバイスにおいて、バイメタルスイッチは、相互に並列に接続された第１ＰＴＣ素子とバイメタル素子に共通する端子を両端に第１端子および第２端子として有し、第２ＰＴＣ素子は、その両端に第３端子および第４端子を有し、バイメタルスイッチと第２ＰＴＣ素子とは電気的に独立している。【００１７】
この態様の回路保護デバイスを用いて、所定の第１電気要素（例えば２次電池の電池パック）および所定の第２電気要素（例えば所定の第１電気要素に印加する起電力源（または電源）として機能する充電器）にバイメタルスイッチを、それぞれ第１端子および第２端子を介して電気的に直列に接続し、主回路を構成する。また、第２ＰＴＣ素子を、それがトリップすることによってバイメタル素子を動作することができるほどに、バイメタル素子に近接させた状態で、スイッチおよび起電力源（または電源）にそれぞれ第３端子および第４端子を介して電気的に直列に接続し、副回路を構成する。この態様では、主回路と副回路とは電気的に独立している。即ち、主回路は、バイメタルスイッチ、第１電気要素および第２電気要素によって構成され、また、副回路は、第２ＰＴＣ素子、スイッチおよび起電力源（または電源）によって構成され、これらは独立して閉回路を構成する。１つのより好ましい態様では、このような本発明の回路保護デバイスは、これらの４つの端子だけが突出するように、所定のケーシング内に挿入されている。必要に応じて、挿入に用いられるケーシングの開口部は、適当な接着剤によって封止されていてもよい。尚、所定の第１電気要素および所定の第２電気要素の少なくとも一方は起電力源として作用する。【００１８】
尚、「所定の（第１または第２）電気要素」とは、回路保護デバイスと共に用いて主回路を構成すると共に、特定の意図する電気的機能（充電機能、放電機能等）を果たす、いずれかの適切な要素（例えば電気装置、電気部品、端子、パッド、配線等）であって、回路に異常電流が流れた場合および／または回路内で異常な電位差（または電圧、以下、これらを総称して「電位差」とも呼ぶ）が生じた場合に保護すべき要素を意味し、別の態様では、これらの要素のいずれかの組み合わせであってもよい。例えば、所定の第１電気要素が蓄電機能を果たす２次電池の電池パックであり、所定の第２電気要素が充電器である。【００１９】
また、「主回路」とは、所定の第１電気要素および所定の第２電気要素が組み込まれることによってこれらの電気要素が意図する電気的機能を果たすように構成された回路（例えば所定の第１電気要素が２次電池の電池パックであり、所定の第２電気要素が充電器である場合の充電回路）を意味する。また、「副回路」とは、第２ＰＴＣ素子に電流を流してそれをトリップさせることができるように構成された回路であり、第２ＰＴＣ素子、スイッチおよび起電力源（または電源）が電気的に直列に接続されている。【００２０】
上述の副回路を構成するスイッチは、保護すべき電気要素（例えば所定の第１電気要素）の所定の箇所の電位差が所定の値を越える（例えば充電中の２次電池の電池パックの電位差がある閾値を越える）と、開いた状態の回路を閉じて第２ＰＴＣ素子に電流が流れるように作用するスイッチを意味する。尚、所定の第１電気要素を流れる電流が所定の値より大きくなって過剰となる場合には、従来通り、バイメタル素子付近の温度が高温になってバイメタル素子が動作して実質的に電流が遮断される。即ち、過剰電流が第１ＰＴＣ素子に転流され、その後、第１ＰＴＣ素子がトリップして電流が実質的に遮断される。【００２１】
このようなスイッチは種々知られており、上述のように電位差が所定の値を越える（即ち、異常状態になる）と、それを検知してスイッチが閉じて第２ＰＴＣ素子に電流を流すことができる。このようなスイッチは、適当な起電力源（または電源）と第２ＰＴＣ素子に対して直列に接続され、異常状態に応じて精度良く電流を流すことができる。例えば電磁リレー、、ＦＥＴ等をこのようなスイッチとして使用できる。尚、後述するように図３に、電池パック３６の端部に位置する単位セル３６−１の両端間の電位差を検知するＩＣ、およびそれが異常である場合に副回路を閉じることができるＦＥＴによって構成されるスイッチ４４を模式的に示している。【００２２】
上述の第１の好ましい態様の回路保護デバイスを用いて副回路を構成するに際して、スイッチに対して第３端子を電気的に直列に接続すると共に、所定の第１電気要素に印加されている電位差を利用するように、あるいは所定の第１電気要素自体が有する電位差を利用するように、所定の第１電気要素の端子に第４端子を電気的に直列に接続してよい。この場合、副回路は、第２ＰＴＣ素子、スイッチおよび所定の第１電気要素またはその一部が電気的に直列に接続されるように構成される。従って、この副回路は、第１電気要素またはその一部分については、主回路と共有することになる。【００２３】
第２の好ましい態様において、本発明の回路保護デバイスの第２ＰＴＣ素子はバイメタルスイッチに対して電気的に直列に接続されている。この回路保護デバイスにおいて、バイメタルスイッチは、相互に並列に接続された第１ＰＴＣ素子とバイメタル素子に共通する端子を両端に第１端子および第２端子として有し、また、第２ＰＴＣ素子の一方の電極は、これらの端子の一方に接続され、バイメタルスイッチの端子には接続されていない、第２ＰＴＣ素子の他方の電極は第３端子に接続されているのが好ましい。１つのより好ましい態様では、このような本発明の回路保護デバイスは、これらの３つの端子だけが突出するように、所定のケーシング内に挿入されている。必要に応じて、挿入に用いられるケーシングの開口部は、適当な接着剤によって封止されていてもよい。尚、この態様は、上述の第１の好ましい態様において、第４端子が、回路保護デバイス内でバイメタルスイッチの端子と第１端子との間に接続されている場合に相当する。【００２４】
具体的な１つの態様では、所定の第１電気要素に対してバイメタルスイッチが直列に接続されるように第１端子を所定の第１電気要素の一方の端子に接続し、所定の第１の電気要素の他方の端子にスイッチを介して第３端子を電気的に直列に接続する。この態様では、第１の所定の電気要素の少なくとも一部分を主回路および副回路が共有する。【００２５】
容易に理解できるように、本発明は、上述のように本発明の回路保護デバイスを有する電気回路を更に提供し、また、そのような電気回路は主回路および副回路を有して成る。加えて、本発明は、そのような電気回路を有する電気装置をも提供する。
【発明の効果】
【００２６】
本発明の回路保護デバイスを組み込んだ電気回路では、保護すべき所定の電気要素における所定の箇所の電位差が所定の値を超える、即ち、異常状態になると、それを検知したスイッチが副回路を閉じて第２ＰＴＣ素子に電流を流し、その結果、第２ＰＴＣ素子をトリップさせることができ、それによってバイメタル素子を動作させることができる。【００２７】
換言すれば、所定の電位差を検知すれば、異常状態であると感知して閉じるように構成されたスイッチを用いることによって、第２ＰＴＣ素子が確実にトリップし、その結果、バイメタル素子が動作する。従って、所定の電位差に達すると、回路を閉じるスイッチを選択することによって、主回路を流れる電流とは無関係に、第２ＰＴＣ素子をトリップさせてバイメタル素子を動作させることができる。即ち、、第２ＰＴＣ素子によってバイメタル素子が動作して、回路保護デバイスを流れる電流を遮断することができる。【００２８】
従来の回路保護デバイスでは、異常高温状態が生じ得る箇所に近接して配置する必要があったが、本発明の回路保護デバイスを用いる場合、スイッチが所定の箇所の電位差を検知して第２ＰＴＣ素子に電流を流すように構成すればよいので、バイメタル素子を、従って、それを有する回路保護デバイスを、保護すべき電気要素から熱的に影響を受けないほどに離間して配置することができ、回路保護デバイスの組み込み箇所に関して自由度が大幅に向上する。【００２９】
また、異常高温状態の場合に回路保護デバイスが主回路を電流の遮断を開始する機能は、スイッチが異常電位差を検知する機能によってトリガーされることになる。従って、第１ＰＴＣ素子がトリップしないような小さい電流が主回路を流れる場合であっても、例えば第１電気要素の所望の箇所の電位差が異常であるとスイッチが検知すれば、第２ＰＴＣ素子がトリップしてバイメタル素子が動作する。従って、高感度で電位差を検知するスイッチを用いることによって、高精度で本発明の回路保護デバイスを使用できる。
【図面の簡単な説明】
【００３０】
【図１】図１は、本発明の回路保護デバイス、およびそれを組み込んだ２次電池充電回路を模式的に回路図にて示す。
【図２】図２は、本発明のもう１つの態様の回路保護デバイス、およびそれを組み込んだ２次電池充電回路を模式的に回路図にて示す。
【図３】図３は、本発明の更にもう１つの態様の回路保護デバイス、およびそれを組み込んだ２次電池充電回路を模式的に回路図にて示す。
【図４】図４は、本発明の別の態様の回路保護デバイスを模式的に回路図にて示す。
【図５】図５は、本発明の回路保護デバイスの模式的断面図（バイメタル素子が接点間を接続している状態、即ち、回路を閉じている状態）を模式的に示す。
【図６】図６は、本発明の回路保護デバイスの模式的断面図（バイメタル素子が接点から離間している状態、即ち、回路を開いている状態）を模式的に示す。
【図７】図７は、実施例にて製造した本発明の回路保護デバイスを試験するために用いた回路図を模式的に示す。
【図８】図８は、実施例にて製造した本発明の回路保護デバイスを用いて、第２ＰＴＣ素子によって第１ＰＴＣ素子がトリップするまでの時間の測定結果を示す。
【発明を実施するための形態】
【００３１】
次に、図面を参照して本発明の回路保護デバイスを更に詳細に説明する。図１に示すように、本発明の回路保護デバイス１０（点線で囲む部分）は、バイメタルスイッチ１２を有して成り、バイメタルスイッチ１２は、電気的に並列に接続された第１ＰＴＣ素子１４およびバイメタル素子１６を有して成る。図示した態様において、本発明の回路保護デバイスのバイメタルスイッチは、相互に並列に接続された第１ＰＴＣ素子１４とバイメタル素子１６に共通する端子を両端に第１端子２４および第２端子２６として有し、第２ＰＴＣ素子は、その両端に、素子の一方の金属電極３０に接続された第３端子３２および素子の他方の金属電極２８に接続された第４端子３３を有し、バイメタルスイッチ１２と第２ＰＴＣ素子１８とは電気的に独立している。
【００３２】
この態様の回路保護デバイスを用いて保護回路を形成する場合、所定の第１電気要素３６（例えば２次電池の電池パック）および所定の第２電気要素３８（例えば所定の第１電気要素に印加する、起電力源（または電源）として機能する充電器）にバイメタルスイッチを、それぞれ第１端子２４および第２端子２６を介して電気的に接続し、主回路７５を構成する。また、第２ＰＴＣ素子１８を、それがトリップすることによってバイメタル素子１６を動作させることができるほどに、バイメタル素子１６に近接させた状態で、スイッチ４４（ＳＷ）および起電力源（または電源）３５にそれぞれ第３端子３２および第４端子３３を介して電気的に直列に接続し、副回路８５を構成する。
【００３３】
この態様では、主回路７５と副回路８５とは電気的に独立している。即ち、主回路７５は、バイメタルスイッチ１２、第１電気要素３６および第２電気要素３８によって構成され、また、副回路８５は、第２ＰＴＣ素子１８、スイッチ４４および起電力源（または電源）３５によって構成され、これらは独立して閉回路を構成する。１つのより好ましい態様では、このような本発明の回路保護デバイスは、これらの４つの端子２４、２６、３２および３３だけが突出するように、所定のケーシング３４内に挿入されている。必要に応じて、挿入に用いられるケーシングの開口部は、適当な接着剤によって封止されていてもよい。
【００３４】
尚、バイメタル素子１６は、離間している接点２０および２２に対向し、バイメタル素子が変形することによって、両方向矢印Ａで示すように、これらの接点２０および２２を接続したり（即ち、回路を閉じたり）、あるいはそのように接続した状態から離れる（即ち、バイメタル素子と接点が接触した状態からこれらが離間する）ことによって回路を開くことができる。尚、上述のように、本発明では、このように回路が閉じた状態から開くバイメタル素子の機能を特に動作と呼ぶ。図１に示す状態では、バイメタル素子１６は、接点２０および２２から離れた状態であり、その結果、これらの接点を結ぶ回路は開いた状態、即ち、動作した状態にある。
【００３５】
本発明の回路保護デバイスでは、バイメタル素子１６は、第２ＰＴＣ素子１８がトリップすることによって動作するように配置されている。これは、トリップした第２ＰＴＣ素子は、高温状態にあるので、それが発する熱が、矢印Ｂで示すように、バイメタル素子に伝わることによって、バイメタル素子が加熱され、その結果、バイメタル素子がその動作する温度（即ち、動作温度）以上の温度になり、それによってバイメタル素子が動作するように配置されることを意味する。バイメタル素子と第２ＰＴＣ素子とは、熱的に直接的または間接的に接触状態または隣接状態にあるのが好ましいが、上述のようにバイメタル素子が動作する限り、バイメタル素子と第２ＰＴＣ素子との間に空間部が存在してもよい。
【００３６】
トリップした第２ＰＴＣ素子１８からバイメタル素子１６に熱が伝わるには、即ち、熱的影響を及ぼすには、第２ＰＴＣ素子のトリップ温度はバイメタル素子の動作温度と同じであるか、それより高いことを特徴とする。第２ＰＴＣ素子のトリップ温度はバイメタル素子の動作温度より、少なくとも１０℃、好ましくは少なくとも２０℃、より好ましくは少なくとも３０℃高い。このようにバイメタル素子１６が動作するには、バイメタル素子１６が第２ＰＴＣ素子１８に熱的影響を及ぼすことができるほどに、近接している必要があり、好ましくはこれらは相互に直接接触している必要がある。別の態様では、熱伝導率の高い材料、例えば金属材料を介して間接的に接触していてもよい。
【００３７】
上述のような本発明の回路保護デバイス１０は、所定の第１電気要素３６を含む所定の電気回路にバイメタルスイッチ１２が組み込まれて主回路７５を形成することができ、そのように組み込まれた状態も図１に示す。図１において、所定の第１電気要素３６として複数の単位セルが直列接続された構造の２次電池の電池パックを図示する。主回路７５は、電池パック３６を充電する充電回路として機能し、その回路を構成するために、充電器３８（所定の第２電気要素に相当）も含む。これは、所定の第１電気要素を機能させるための起電力源（または電源）としても機能する。
【００３８】
より詳しくは、図示した態様では、所定の第１電気要素３６に対してバイメタルスイッチ１２が直列に接続されるように第１端子２４を所定の電気要素の一方の端子４０に接続し、所定の第１電気要素３６の他方の端子４２に所定の第２電気要素３８を接続する。また、第２ＰＴＣ素子の第３端子３２は、スイッチ（ＳＷ）４４に接続され、第４端子３３は起電力源（または電源）３５に接続されており、これらは副回路８５を構成している。このスイッチ４４は、所定の第１電気要素３６の所定の箇所（例えば電池パックの一方の端子４０と他方の端子４２との間の単位セル）または端子４０と４２との間の電位差を検知すると共に、その電位差が所定の値より大きくなる（例えば充電中の２次電池の単位セルまたは電池パックの電位差がある閾値を越える）と、スイッチ４４の接点間を閉じて第２ＰＴＣ素子１８に電流が流れるように作用するスイッチである。従って、そのような所定の箇所とスイッチ４４との間はその箇所の電位差を検知して伝達するための電位差検知手段（例えばＩＣ）および配線（図示せず）が存在する。
【００３９】
図１に示す状態は、例えば、所定の要素３６の電位差が過剰になったことをスイッチ４４が検知することによって、スイッチ４４が回路８５を閉じて電流が流れて第２ＰＴＣ素子１８がトリップしてその熱がバイメタル素子１６に伝わり、その結果、バイメタル素子１６が動作した直後の状態を示す。この場合、バイメタル素子１６が動作した瞬間に、バイメタルスイッチ１２の接点２０と２２との間を流れていた電流が、第１ＰＴＣ素子１４に転流される。その後、第１ＰＴＣ素子１４がトリップし、その結果、第１ＰＴＣ素子１４を流れる電流が実質的に遮断され、よって、主回路を電流が流れることが回避される。第２ＰＴＣ素子１８は、起電力源（または電源）３５によって印加されたままの状態であるので、そのトリップ状態のままで維持され、従って、バイメタル素子１６は動作した状態のままで維持され、接点２０と２２とは開いた状態のままとなる。
【００４０】
図２に別の態様の本発明の回路保護デバイス１０（点線で囲む部分）を示す。この態様では、回路保護デバイス１０は、バイメタルスイッチ１２を有して成り、バイメタルスイッチ１２は、電気的に並列に接続された第１ＰＴＣ素子１４およびバイメタル素子１６を有して成る。図示した態様において、本発明の回路保護デバイスのバイメタルスイッチは、相互に並列に接続された第１ＰＴＣ素子１４とバイメタル素子１６に共通する端子を両端に第１端子２４および第２端子２６として有し、第２ＰＴＣ素子１８は、その両端に、素子１８の一方の金属電極３０に接続された第３端子３２および素子１８の他方の金属電極２８に接続された第４端子３３を有する。
【００４１】
図２に示す態様では、第４端子３３が所定の第１電気要素３６の端子４０と端子４２との間の箇所（点Ｃ）に接続され、所定の第１電気要素の一部を利用して、詳しくは所定の第１電気要素に印加される電圧の一部を起電力源（または電源）として利用できるように構成されている点において、図１に示す態様とは異なり、その他の点に関しては、図１に示す態様と実質的に同じである。その結果、図示した態様では、副回路８５は、第２ＰＴＣ素子１８、第１電気要素３６の一部、スイッチ４４が直列に接続されることによって構成されている。従って、主回路７５および副回路８５は、第１電気要素３６の一部およびそれからスイッチ４４の手前までの部分を共有することになる。
【００４２】
図３に更に別の態様の本発明の回路保護デバイス１０（点線で囲む部分）を示す。この態様では、バイメタルスイッチ１２は、相互に並列に接続された第１ＰＴＣ素子１４とバイメタル素子１６に共通する端子を両端に第１端子２４および第２端子２６として有し、また、第２ＰＴＣ素子１８の一方の金属電極２８は、これらの端子の一方（図示した態様では第１端子２４）に実質的に接続され、その結果、バイメタルスイッチ１２と第２ＰＴＣ素子１８は直列に接続されている。第２ＰＴＣ素子１８の他方の金属電極３０は第３端子３２に接続されている。従って、この態様においては、従って、主回路７５および副回路８５は、第１電気要素３６の全部およびそれからスイッチ（ＦＥＴ）４４の手前までの部分を共有することになる。１つの好ましい態様では、このような本発明の回路保護デバイスは、これらの３つの端子２４、２６および３２だけが突出するように、所定のケーシング内に挿入されている。先と同様に、図３に示す態様では、点線がケーシング３４に対応すると考えることができる。挿入に用いられるケーシングの開口部は、適当な接着剤によって封止されていてもよい。
【００４３】
上述のような本発明の回路保護デバイス１０を、本発明の所定の電気要素が組み込まれた所定の電気回路に組み込むことができ、そのように組み込まれた状態も図３に示す。図３において、所定の第１電気要素３６として２次電池の電池パックを図示し、また、この２次電池の電池パックを充電する充電回路を所定の電気回路（主回路に相当）として示す。このような電気回路を構成するために、充電器３８も図示し、これは、所定の第１電気要素を機能させるための所定の第２電気要素としての起電力源（または電源）として機能する。図３から分かるように、バイメタルスイッチ１２は、所定の第１電気要素３６に対して電気的に直列に接続され、また、第２ＰＴＣ素子１８は、所定の第１電気要素３６と共に第２電気要素に対して並列に接続されている。
【００４４】
より詳しくは、図示した態様では、所定の第１電気要素３６に対してバイメタルスイッチ１２が直列に接続されるように第１端子２４を所定の電気要素の一方の端子４０に接続し、所定の電気要素３６の他方の端子４２にスイッチ（ＦＥＴ）４４を介して第３端子３２を接続する。このスイッチ４４は、例えば、図示するように、所定の第１電気要素３６の所定の箇所４５の電位差（厳密には、図示した態様では、電池パック３６を構成する単位セルの内、一番端の単位セル３６−１にわたる電位差）が所定の値より大きくなる（例えば充電中の２次電池の電位差がある閾値を越える）と、スイッチ（ＦＥＴ）４４の接点間を閉じて第２ＰＴＣ素子１８に電流が流れるように作用する。図示した態様では、所定の第１電気要素３６に印加される電圧を第２ＰＴＣ素子１８をトリップするための電流源としても利用するように構成されている。
【００４５】
図３に示す状態は、所定の箇所４５における電位差が過剰になったことをスイッチ４４が検知することによって、スイッチ４４が副回路８５を閉じて第２ＰＴＣ素子１８がトリップしてその熱がバイメタル素子１６に伝わり、その結果、バイメタル素子１６が動作した直後の状態を示す。この場合、バイメタル素子１６が動作した瞬間に、バイメタルスイッチ１２の接点２０と２２との間を流れていた電流が、第１ＰＴＣ素子１４に転流される。その後、第１ＰＴＣ素子１４がトリップし、その結果、第１ＰＴＣ素子１４を流れる電流が実質的に遮断され、よって、充電回路を電流が流れることが回避される。第２ＰＴＣ素子１８は、電気要素３６と実質的に同じ電圧が印加されているので、トリップ状態のままで維持され、従って、バイメタル素子１６は動作した状態のままで維持され、接点２０と２２とは開いた状態のままとなる。
【００４６】
尚、本明細書において、電気的に並列または直列に接続されていると言う場合は、接続されている要素同士が直接的に接続されている場合であっても、あるいは、接続されている要素同士の間に別の要素が存在することによって間接的に接続されている場合であってもよい。例えば、標準抵抗器が接続されている要素同士の間に存在してもよい。
【００４７】
図４に本発明の回路保護デバイスの別の態様を模式的に回路図にて示す。この回路保護デバイス５０は、並列に接続されたバイメタル素子５２および第１ＰＴＣ素子５４により構成されるバイメタルスイッチ、ならびにそれに直列に接続された第２ＰＴＣ素子５６を有して成る。この回路保護デバイス５０は、更にもう１つのバイメタルスイッチを有して成り、これは、更にもう１つのバイメタル素子５８およびそれに直列に接続された、もう１つの第２ＰＴＣ素子６０により構成されている。後者のバイメタル素子５８は第１ＰＴＣ素子５４に対して並列に接続されている。その結果、２つのバイメタル素子５２および５８が１つの第１ＰＴＣ素子５４を並列接続で共有している。即ち、図示した回路保護デバイス５０には、並列に接続された２つのバイメタルスイッチが存在するが、唯一の第１ＰＴＣを有する。
【００４８】
図示した態様では、２つのバイメタルスイッチのそれぞれ一端が第１端子６２に接続され、他方の端部が第２端子６４に接続され、第２ＰＴＣ素子５６および６０のそれぞれの一方の電極がバイメタルスイッチの一方の端子に接続され、それぞれの他方の電極が第３端子６６に接続されている。このようにバイメタルスイッチが並列で接続されていると、第１端子６２と第２端子６４の間を流れる電流の量、従って、所定の電気回路を流れることができる電流量を大きくすることができる利点がある。即ち、回路保護デバイスの電流容量を大きくすることができる。この場合、バイメタル素子５２および５８が動作した場合には、それを流れる電流を第１ＰＴＣ素子５４に転流することができる。尚、バイメタル素子５２および５８が実質的に同時に動作するように回路保護デバイスを構成することが好ましい。
【００４９】
上述のように、バイメタルスイッチを複数並列に接続することによって、回路保護デバイスの電流容量を大きくできる。容易に理解できるように、バイメタル素子の接点間を流れる電流を転流すべき第１ＰＴＣデバイスの数は、転流される電流量に応じて、１つであっても、バイメタル素子の数と同数であっても、あるいはこれらの間の数であってもよい。図４に示す態様では、各バイメタル素子に対応して第２ＰＴＣ素子を配置しているが、１つの第２ＰＴＣ素子が２つのバイメタル素子を動作させるように配置してもよい。例えば、１つの第２ＰＴＣ素子に近接して２つのバイメタル素子を配置してよい。
【００５０】
図５に、本発明の回路保護デバイスの１つの態様を断面図を模式的に示す。尚、この態様は図３に示すデバイスに対応する。図示した回路保護デバイス７０は、バイメタルスイッチ７２を有して成り、これは、バイメタル素子７４および第１ＰＴＣ素子７６により構成されている。回路保護デバイスは、第２ＰＴＣ素子７８を更に有して成り、また、第１端子８０、第２端子８２および第３端子８４を有する。
【００５１】
この回路保護デバイスを所定の電気回路に配置して、回路が正常に機能している場合、矢印で示すように、第２端子８２から電流が入り、バイメタル素子７４を経由して第１端子８０から出ように接続する。図５に示した状態は、回路が正常に機能している状態である。
【００５２】
電気回路に配置された所定の電気要素に異常が生じた場合、それを検知したスイッチ（図示せず）が、矢印（図５の上方の矢印）で示すように、第３端子８４を経由して第２ＰＴＣ素子７８に電流を流してトリップさせる。図示した態様では、バイメタル素子７４に隣接して第２ＰＴＣ素子７８を配置している。但し、これらの間には、第２端子につながるリード部分が存在する。即ち、バイメタル素子７４は、リード部分８６を介して間接的に第２ＰＴＣ素子７８に接触している。リード部分および端子は、導電性金属材料で構成され、これは熱的にも良好な導伝性を有する。
【００５３】
その結果、トリップした第２ＰＴＣ素子７８が高温になり、その熱によってバイメタル素子７４が変形して動作し、回路を開く。このように回路が開いた状態を図６に模式的に示す。開いた瞬間に、矢印で示すように、バイメタル素子７４を流れていた電流は、第１ＰＴＣ素子７６を経て流れるように転流される。
【００５４】
図示した態様では、バイメタル素子７４、第１ＰＴＣ素子７６および第２ＰＴＣ素子７８は、リードとして機能する導電性材料で接続されており、これらの端部分が端子を構成する。また、図５および図６において破線８８は、バイメタルスイッチおよび第２ＰＴＣ素子を収容する、回路保護デバイスのケーシングに対応する。尚、バイメタル素子はその先端部に接点９０を有する。
【実施例１】
【００５５】
下記の市販のバイメタル素子およびＰＴＣ素子を用いて、図３に示す回路保護デバイス１０を製造した：
バイメタル素子：スナップアクション型（Cu-Ni-Mn合金とNi-Fe合金のクラッドシートから作成、動作温度１００℃）
第１ＰＴＣ素子：ポリエチレン系ＰＴＣ素子（タイコエレクトロニクスジャパン製、トリップ温度：１２０℃）
第２ＰＴＣ素子：ＰＶＤＦ系ＰＴＣ素子（タイコエレクトロニクスジャパン製、トリップ温度：１６０℃）【００５６】
上記素子を図３に示すように接続した後、樹脂製ケーシング内に配置し、第１端子、第２端子および第３端子のみがケーシングの端部から突出するようにして、図１の本発明の保護回路デバイス１０を得た。【００５７】
得られた回路保護デバイスを図７の試験回路に組み込み、第１端子２４と第２端子２６の間に１．０〜６０Ａの電流を主回路７５の電流として１８０秒間流した。その後、スイッチ４４を閉じて第２ＰＴＣ素子に１００Ａの電流を副回路８５の電流として流してトリップさせた。尚、試験環境の温度を室温（２５℃）、０℃および−４０℃とした。【００５８】
スイッチ４４を閉じた時間をゼロとして、第１端子２４と第２端子２６との間を流れる電流値が実質的に遮断されるまでの時間（即ち、強制遮断時間）、即ち、第１ＰＴＣ素子がトリップするまでの時間を測定した。測定結果を図８に示す。【００５９】
この結果から、主回路電流が小さいほど、また、低温環境であるほど遮断時間は長くなる。例えば、過充電保護の場合の目標遮断時間は２０秒以下であるといわれており本発明の回路保護デバイスは、低温環境であっても、その目標値を十分に達成している。
【符号の説明】
【００６０】
１０…回路保護デバイス、１２…バイメタルスイッチ、
１４…第１ＰＴＣ素子、１６…バイメタル素子、
１８…第２ＰＴＣ素子、２０，２２…接点、
２４…第１端子、  ２６…第２端子、
２８，３０…電極、３２…第３端子、
３３…第４端子、３５…起電力源（または電源）、
３６…第１電気要素、３８…第２電気要素、
４０，４２…端子、４４…スイッチ、
５０…回路保護デバイス、５２…バイメタル素子、
５４…第１ＰＴＣ素子、５６…第２ＰＴＣ素子、
５８…バイメタル素子、６０…第２ＰＴＣ素子、
６２…第１端子、６４…第２端子、
６６…第３端子、７０…回路保護デバイス、
７４…バイメタル素子、７５…主回路、
７６…第１ＰＴＣ素子、７８…第２ＰＴＣ素子、
８０…第１端子、８２…第２端子、
８４…第３端子、８５…副回路、
８８…ケーシング、９０…接点。
【図１】
2012081659.tif 000003
【図２】
2012081659.tif 000004
【図３】
2012081659.tif 000005
【図４】
2012081659.tif 000006
【図５】
2012081659.tif 000007
【図６】
2012081659.tif 000008
【図７】
2012081659.tif 000009
【図８】
2012081659.tif 000010
【国際調査報告】
2012081659.tif 000011
2012081659.tif 000012
2012081659.tif 000013